(57)【要約】本発明は、ディスプレイ（３）及びキーボード（２）を有する操作面（１）を備えた移動通信端末機器に関する。この操作面（１）には、１つの指紋をサンプリング及び識別するための生物測定学的なセンサ（４）が配置されている。殊にセンサによる指紋の配向の検知は、この配向に依存する通信端末機器の制御を可能にする。
2004535098.tif 000002
【特許請求の範囲】
【請求項１】
操作面（１）を備えた移動通信端末機器において、
該操作面（１）上には、指紋を識別する生物測定学的なセンサ（４、４ａ）が配置されており、該生物測定学的なセンサは１つの指の配向を検知することを特徴とする、移動通信端末機器。
【請求項２】
前記センサ（４ａ）は通信端末機器のディスプレイ（３）に組み込まれている、請求項１記載の通信端末機器。
【請求項３】
前記センサ（４、４ａ）は面拡張部を有し、該面拡張部には種々の位置において指を載置できる、請求項１または２記載の移動通信端末機器。
【請求項４】
前記センサ（４、４ａ）は種々の位置を検知する、請求項３記載の通信端末機器。
【請求項５】
前記センサ（４、４ａ）は、連続して行われる１つまたは複数の指のサンプリングの間の時間間隔を検知する、請求項１から４までのうちのいずれか１項記載の通信端末機器。
【請求項６】
前記センサ（４、４ａ）を、機器を操作する入力装置として使用する、請求項１から５までのうちのいずれか１項記載の通信端末機器。
【請求項７】
前記センサ（４、４ａ）を、機器に記号を入力する入力装置として使用する、請求項１から６までのうちのいずれか１項記載の通信端末機器。
【請求項８】
前記センサ（４、４ａ）は、複数の指紋及び該指紋の配向を識別する、請求項１から７までのうちのいずれか１項記載の通信端末機器。
【発明の詳細な説明】
【技術分野】
【０００１】
本発明は移動通信端末機器に関する。そのような機器は、通常の場合操作面を有し、この操作面上にディスプレイ及びキーボードが配置されている。非常に広範に及ぶ操作機能は大半の場合大規模なメニュー構造において組織されている。ここで、メニュー構造は機能の使用頻度を考慮しない。すなわち頻繁に使用される操作機能を呼び出すにも、あまり頻繁には使用されない機能と同様に手間がかかってしまう。通信端末機器は全ての場合において所定のユーザに帰属しており、また相応にログイン機能を有し、このログイン機能によって権限のあるユーザはＰＩＮを用いてログインする。しかしながらそのようなログインは全ての場合において必ずしも必要ではなく、その結果ＰＩＮを忘れてしまうという危険が存在する。
【０００２】
本発明の課題は、操作が簡略化されている通信端末機器を提供することである。
【０００３】
この課題は請求項１によれば、操作フィールドに指紋を識別する生物測定学的なセンサが設けられていることによって解決される。スペースを取らないようにディスプレイに組み込むこともできるセンサは、指先のラインを高解像度でもってサンプリングし、例えば権限のある人間の所定の指に属する特徴的な指紋構造を、機器に格納されているパターンと比較することにより識別する。したがってログインのためにユーザはＰＩＮを入力するのではなく、単に所定の指をセンサ面上に置きさえすればよい。
【０００４】
有利な構成では、センサは種々の位置において指を載置できるようにする面拡張部を有する。この場合センサは、種々の位置を識別するように構成されている。認証のために指紋自体の他にもさらにその指紋の位置または配向も使用することができる。最後に、センサは以下のように設計されている。すなわち、このセンサが連続して行われる指のサンプリングの間の時間間隔を識別するように設計されている。したがって認証検査だけを考慮したものではない別の組み合わせられた可能性も使用できる。すなわちセンサを同時に入力装置として使用することができる。この場合指紋、位置、配向または時間間隔を任意の、有利にはユーザによって規定すべき組み合わせで、機器を操作するために使用することができる。すなわち、所定のメニューの呼出、機器機能の調整などをセンサを介して行うことができる。
【０００５】
本発明を以下図面に示した実施例に基づき詳細に説明する。ここで図１は、通信端末機器の俯瞰図である。図２は２つの指のサンプリングを示す概略図である。
【０００６】
図１に示された通信端末機器Ｍは操作フィールド１を包含し、この操作フィールド１上にはキーボード２、ディスプレイ３及び生物測定学的なセンサ４が配置されている。センサ４は例えば矩形の形状であり、ディスプレイ３とキー２との間に配置されている。択一的な構成では、センサ４ａがスペースを取らないようにディスプレイ３に組み込まれている。センサ４は指先のパターンないし指紋の他にも配向５（図２）及び指の位置を検知するように構成されている。
【０００７】
このようにして、すなわち指紋を検知することによって、この指紋検知による通信端末機器に対する制御指令を導出するために、周囲のノイズレベルに関係なく、例えば会議のような静かな環境においても実施することができる通信端末機器の制御が可能となる。
【０００８】
小型の寸法である移動電話としての通信端末機器では、センサ４または４ａを、ちょうど１つの指紋及びその指紋の配向を検知できるように小さくすることができる。
【０００９】
しかしながら、比較的大きな設計仕様の通信端末機器ではセンサ４または４ａないしそのセンサ面を、１つの指の載置及び検知が種々の位置において可能であるように構成することも考えられる。これによってセンサの更なる自由度が達成される。
【００１０】
先ず、通信端末機器Ｍの起動時の認証検査のために、ユーザの指紋がセンサ４または４ａのうちの１つを用いて検知される。本来の指紋パターンの代わりに、または本来の指紋パターンに付加的に、認証指標として１つの指ないし指紋の配向及び／又は位置をセンサ４または４ａ上で検知することができる。
【００１１】
指紋ないしその指紋の検知を認証検査の他にも通信端末機器の制御にも使用することができる。例えば、通信端末機器が電話番号の入力またはメニューの呼出のようなユーザの制御指示を待っている待機状態では、図２に示されているように、指先が上に向いている垂直の配向のような所定の配向において指紋が検知されることによって、最近ダイヤルした電話番号のリストを通読することができる。このことは、図２に示されている垂直の配向で指をセンサ４または４ａ上に再度押しつける度に、例えば最近選択されたリストエントリで始まっている上述したリストが、あるリストエントリを見つけるために終わり無く反復的に通読されるということを意味しており、この際に例えば、同様に図２に示されているような水平方向の配向でもって指を押しつけることによって、リストエントリを選択することができる、ないし相応の電話番号をダイヤルすることができる。リストエントリの選択を、この選択のために別個に予定されている別の指の指紋を用いて行うことも考えられ、センサ４または４ａに対するその指紋の配向も選択判定基準として使用することができる。
【００１２】
既にダイヤルした電話番号のリストを通読ないし調べる可能性の他に、指紋ないしその指紋の配向を検知することによって、既に選択したまたは頻繁に必要とされる（したがって予め設定された）機能ないしアプリケーション、例えばＳＭＳ（ショートメッセージサービス、Short Message Service）を作成する、または通信端末機器固有の電話帳を拡張するアプリケーションのリストを通読することができる。アプリケーションのリストの通読を、電話番号のリストの通読のような相応のやり方で実施することができるか、またはキーボード２のキー（すなわちリストを通読するための少なくとも１つのキー、また必要に応じてリストエントリを選択するための少なくとも１つのキー）を用いて実施することができる。
【００１３】
さらに、（通信端末機器が電話として構成されている場合には）指紋ないしその指紋の配向を検知することにより、呼出を受領ないし拒否することも可能である。通信端末機器のユーザが呼出信号を受け取ると、このユーザは例えば、図２に示されているような垂直の配向において１つの所定の指を載置することによって呼出を受けるか、または同様に図２に示されているように水平方向の配向において１つの所定の指を載置することによって呼出を拒否することができる。
【００１４】
さらに、指紋ないしその指紋の配向を検知することにより、例えば以前に指紋ないしその指紋の配向を用いて呼び出されていた複合的なメニュー構造を操作することも考えられる。したがって垂直方向で上方に向かって、ないし下方に向かって配向されている指を、個々のメニューポイントを操作するために使用することができ、他方では右方に向かって配向された指をメニューポイントの選択のために使用し、左方に配向された指を高いメニュー階層に戻すために使用する。相応にして、メニュー並びにリスト及びアプリケーションに関する制御行程を、（実行すべき機能に応じた）種々の指の検知によっても、またはセンサ４（４ａ）によって連続して行われる１つまたは複数の指のサンプリングの間の時間間隔を検知することによっても実施することができる。
【００１５】
通信端末機器を制御すること以外に、殊に複数の指の検知された指紋ないしその指紋の配向を、記号の入力のために使用することができる。ユーザが一方の手の５つの指を電話番号の数字を入力するために使用しようとする。つまり、例えば親指から小指までの指ないしその指の指紋が、図２に示されているような垂直方向の配向では、数字「１」、「２」、「３」、「４」、「５」を表し、他方では同一の指は、同様に図２に示されているような水平方向では「６」、「７」、「８」、「９」、「１０」を表すことができる。指紋を用いて電話番号を入力するために固有のアプリケーションを呼び出した後に、電話番号の数字を入力するために、上述した個々の指を所定の配向においてセンサ上に載置することができる。引き続き、例えば最後の数字を表した指を所定の時間よりも長い時間センサ上に載置したままにすることによって、電話番号のダイヤルを通信コネクションの確立のために開始することができる。指紋ないしその指紋の配向が正確に検知される場合には、水平または垂直の配向における指を識別するだけではなく、「水平」と「垂直」の間の角度に位置する「斜め」の配向も識別することも考えられる。したがって１つの指の指紋に、その指の配向と組み合わせて複数の記号を対応付けることもでき、その結果、例えば数字の入力の他に文字の入力も可能である。さらには、電話番号を直接入力する代わりに、通信コネクションを確立するために電話番号のダイヤルを惹起する、例えば短縮数字の組み合わせに対応する１つまたは複数の指を連続して（正確な配向でもって）センサ上に置くことも可能である。
【００１６】
拡張されたセンサ面を備えたセンサでは、２つまたは複数の指紋を一度に識別することも可能であり、センサによって検知される２つまたは複数の所定の指紋を組み合わせることによって、同様にして通信端末機器の制御を行うことができる。さらに本来の指紋パターンの他にも、それぞれの指の組み合わせの配向が付加的な制御判定基準として再び使用される場合には、指紋の検知によって実現することができる多数の制御命令が生じる。
【００１７】
拡張されたセンサ面を備えたセンサではさらに、１つまたは複数の指紋を異なる位置において識別することができ、したがって検知された指紋の位置に依存して所定の制御行程が実施される。例えば待機状態において、垂直方向に配向されてセンサ面の右のセクションに載置されている指は最近ダイヤルした電話番号のリストを表示するアプリケーションを開き、他方では垂直方向に配向されてセンサ面の左のセクションに載置されている指は最近選択された機能のリストを表示するアプリケーションを開く。
【００１８】
図１に示されているような通信端末機器は、殊にＧＳＭ（Global System for Mobile Communication Service）またはＵＭＴＳ（Universal Mobile Telecommunication Service）規格による移動無線機器ないし移動電話として構成することができる。しかしながら、オーガナイザ（Organizer）ないしＰＤＡ（携帯端末機器、personal digital assistant）のような（小型の）携帯可能なコンピュータとしても構成することができる。さらに、通信端末機器を時計や時計型電話（Wrist-Phone）のような腕に装着する通信端末機器として構成することもできる。
【図面の簡単な説明】
【００１９】
【図１】通信端末機器の俯瞰図である。
【図２】２つの指をサンプリングを示す概略図である。
【国際公開パンフレット】
2004535098.tif 000003
2004535098.tif 000004
2004535098.tif 000005
2004535098.tif 000006
2004535098.tif 000007
2004535098.tif 000008
2004535098.tif 000009
2004535098.tif 000010
2004535098.tif 000011
2004535098.tif 000012
2004535098.tif 000013
【手続補正書】
【提出日】平成15年3月10日(2003.3.10)
【手続補正１】
【補正対象書類名】明細書
【補正対象項目名】０００１
【補正方法】変更
【補正の内容】
【０００１】
本発明は移動通信端末機器に関する。そのような機器は、通常の場合操作面を有し、この操作面上にディスプレイ及びキーボードが配置されている。非常に広範に及ぶ操作機能は大半の場合大規模なメニュー構造において組織されている。ここで、メニュー構造は機能の使用頻度を考慮しない。すなわち頻繁に使用される操作機能を呼び出すにも、あまり頻繁には使用されない機能と同様に手間がかかってしまう。通信端末機器は全ての場合において所定のユーザに帰属しており、また相応にログイン機能を有し、このログイン機能によって権限のあるユーザはＰＩＮを用いてログインする。しかしながらそのようなログインは全ての場合において必ずしも必要ではなく、その結果ＰＩＮを忘れてしまうという危険が存在する。
刊行物ＷＯ  ９９  ２８７０１には、指紋を識別する生物測定学的なセンサが配置されている操作面を備えた移動通信端末機器が開示されている。さらに刊行物ＥＰ−Ａ−０  ７３６  ８３６には、識別品質を改善するために、検査すべき指紋の向きを検出することが開示されている。刊行物ＵＳ−Ａ−５には、指紋センサを備えた装置が開示されており、この装置は所望の位置に相対的である指紋センサ上の指紋の目下の位置を検出する。


【手続補正２】
【補正対象書類名】特許請求の範囲
【補正対象項目名】全文
【補正方法】変更
【補正の内容】
【特許請求の範囲】
【請求項１】
操作面（１）を備えた移動通信端末機器において、
該操作面（１）上には、指紋を識別する生物測定学的なセンサ（４、４ａ）が配置されており、該生物測定学的なセンサは１つの指の配向を検知し、該検知された指の配向に依存する所定の制御指示が、移動通信端末機器の制御のために該移動通信端末機器に入力されることを特徴とする、移動通信端末機器。
【請求項２】
前記センサ（４ａ）は通信端末機器のディスプレイ（３）に組み込まれている、請求項１記載の通信端末機器。
【請求項３】
前記センサ（４、４ａ）は面拡張部を有し、該面拡張部には種々の位置において指を載置できる、請求項１または２記載の移動通信端末機器。
【請求項４】
前記センサ（４、４ａ）は種々の位置を検知する、請求項３記載の通信端末機器。
【請求項５】
前記センサ（４、４ａ）は、連続して行われる１つまたは複数の指のサンプリングの間の時間間隔を検知する、請求項１から４までのうちのいずれか１項記載の通信端末機器。
【請求項６】
前記センサ（４、４ａ）を、機器を操作する入力装置として使用する、請求項１から５までのうちのいずれか１項記載の通信端末機器。
【請求項７】
前記センサ（４、４ａ）によって入力された制御指示を、前記操作面に表されるメニュー構造の制御または記号の入力に使用する、請求項１から６までのうちのいずれか１項記載の通信端末機器。
【請求項８】
前記センサ（４、４ａ）は、複数の指紋及び該指紋の配向を識別する、請求項１から７までのうちのいずれか１項記載の通信端末機器。
【国際調査報告】
2004535098.tif 000014
2004535098.tif 000015
2004535098.tif 000016
2004535098.tif 000017
2004535098.tif 000018
2004535098.tif 000019